(57)【要約】【課題】信号劣化のない処理を伝送負荷を増大させずに実現する。【解決手段】符号化パラメータ、復号パラメータ、編集パラメータ等のパラメータ情報が、ユニーク情報（ＵＭＩＤ）と対応されてデータベースに格納される。また編集のために復号処理（圧縮に対するデコード）された素材データ（ベースバンド信号）に対しては、ユニーク情報が付加されて伝送される。そして素材データに対する編集や再符号化などの際には、ユニーク情報をキーとしてデータベースから過去の処理に関するパラメータ情報を得、こえを参照して劣化のない信号処理を実行する。【選択図】  図１０
2004364119.tif 000002
【特許請求の範囲】
【請求項１】
符号化された素材データから、該符号化された素材データに付加されていた付加情報を抽出し、また上記符号化された素材データを復号するとともに該復号した復号データに上記抽出した付加情報に含まれるユニーク情報を付加する復号手段と、
上記復号処理手段で抽出された上記ユニーク情報に、所定のパラメータ情報を対応させてデータベースに格納するデータベース手段と、
上記ユニーク情報が付加された復号データを入力し、上記復号データに対して編集処理を行うとともに、該編集処理に利用する情報として、上記データベース手段から、上記ユニーク情報に対応するパラメータ情報を取得する編集手段と、
を備えたことを特徴とするデータ編集システム。
【請求項２】
上記編集手段で編集された、上記ユニーク情報が付加された復号データに対して符号化処理を行うとともに、該符号化処理に利用する情報として、上記データベース手段から上記ユニーク情報に対応するパラメータ情報を取得する符号化手段を、さらに備えたことを特徴とする請求項１に記載のデータ編集システム。
【請求項３】
上記ユニーク情報に対応されて上記データベースに格納されるパラメータ情報とは、上記復号手段で抽出された付加情報として含まれている符号化パラメータであることを特徴とする請求項１に記載のデータ編集システム。
【請求項４】
上記ユニーク情報に対応されて上記データベースに格納されるパラメータ情報とは、上記復号手段での復号処理で用いられた復号パラメータであることを特徴とする請求項１に記載のデータ編集システム。
【請求項５】
上記ユニーク情報に対応されて上記データベースに格納されるパラメータ情報とは、上記編集手段での編集処理で用いられた編集パラメータであることを特徴とする請求項１に記載のデータ編集システム。
【請求項６】
符号化された素材データから、該符号化された素材データに付加されていた付加情報を抽出し、また上記符号化された素材データを復号するとともに該復号した復号データに上記抽出した付加情報に含まれるユニーク情報を付加する復号ステップと、
上記復号ステップで抽出された上記ユニーク情報に、所定のパラメータ情報を対応させてデータベースに格納するデータベース格納ステップと、
上記ユニーク情報が付加された復号データを入力し、上記復号データに対して編集処理を行うとともに、該編集処理に利用する情報として、上記データベースから、上記ユニーク情報に対応するパラメータ情報を取得する編集ステップと、
を有することを特徴とするデータ編集方法。
【請求項７】
上記編集ステップで編集された、上記ユニーク情報が付加された復号データに対して符号化処理を行うとともに、該符号化処理に利用する情報として、上記データベースから上記ユニーク情報に対応するパラメータ情報を取得する符号化ステップを、さらに備えたことを特徴とする請求項６に記載のデータ編集方法。
【請求項８】
上記ユニーク情報に対応されて上記データベースに格納されるパラメータ情報とは、上記復号ステップで抽出された付加情報として含まれている符号化パラメータであることを特徴とする請求項６に記載のデータ編集方法。
【請求項９】
上記ユニーク情報に対応されて上記データベースに格納されるパラメータ情報とは、上記復号ステップでの復号処理で用いられた復号パラメータであることを特徴とする請求項６に記載のデータ編集方法。
【請求項１０】
上記ユニーク情報に対応されて上記データベースに格納されるパラメータ情報とは、上記編集ステップでの編集処理で用いられた編集パラメータであることを特徴とする請求項６に記載のデータ編集方法。
【請求項１１】
符号化された素材データから、該符号化された素材データに付加されていた付加情報を抽出する抽出手段と、
上記符号化された素材データを復号する符号化データ復号手段と、
上記符号化データ復号手段で復号した復号データに、上記抽出手段で抽出した付加情報に含まれるユニーク情報を付加して出力する復号データ出力手段と、
上記ユニーク情報とともに、上記抽出手段で抽出した付加情報に含まれるパラメータ情報又は上記符号化データ復号手段での復号処理のパラメータ情報を外部サーバに出力するパラメータ出力手段と、
を備えたことを特徴とするデータ処理装置。
【請求項１２】
ユニーク情報が付加された復号データについて編集処理を行う復号データ編集手段と、
上記復号データ編集手段での編集処理に利用するパラメータ情報の取得のために上記ユニーク情報を外部サーバに出力するユニーク情報出力手段と、
上記ユニーク情報出力手段によるユニーク情報の出力に対応して、上記外部サーバからパラメータ情報を入力し、上記復号データ編集手段に供給するパラメータ入力手段と、
を備えたことを特徴とするデータ処理装置。
【請求項１３】
上記ユニーク情報とともに、上記復号データ編集手段での編集処理のパラメータ情報を外部サーバに出力するパラメータ出力手段を、さらに備えたことを特徴とする請求項１２に記載のデータ処理装置。
【請求項１４】
ユニーク情報が付加された復号データについて符号化処理を行う復号データ符号化手段と、
上記復号データ符号化手段での符号化処理に利用するパラメータ情報の取得のために上記ユニーク情報を外部サーバに出力するユニーク情報出力手段と、
上記ユニーク情報出力手段によるユニーク情報の出力に対応して、上記外部サーバからパラメータ情報を入力し、上記復号データ符号化手段に供給するパラメータ入力手段と、
を備えたことを特徴とするデータ処理装置。
【請求項１５】
データベース手段と、
外部装置から供給されたユニーク情報とパラメータ情報とを対応させて上記データベース手段に登録する登録処理手段と、
外部装置から供給されたユニーク情報に基づいて上記データベース手段の検索を行う検索手段と、
上記検索手段によるユニーク情報に基づいて検索によって得られたパラメータ情報を外部装置に出力するパラメータ出力手段と、
を備えたことを特徴とするサーバ装置。
【発明の詳細な説明】
【０００１】
【発明の属する技術分野】
本発明は、例えばビデオカメラ等で撮像された映像信号（映像素材データ）等に対して編集を行うデータ編集システム、データ編集方法に関し、またデータ編集システムを構成するための各種処理を行うデータ処理装置、サーバ装置に関するものである。
【０００２】
【従来の技術】
【特許文献１】特開２００２−２９７６２８
【特許文献２】特開２０００−５９７８８
【０００３】
ビデオカメラなどで撮像された映像信号や音声信号（以下、映像素材、音声素材、或いはまとめて素材データともいう）などを補足するデータとして、例えばＳＭＰＴＥ２９８Ｍ、３３５Ｍ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ２９８Ｍ、３３５Ｍ）で定義されたメタデータが知られている。
このメタデータは、映像音声素材に関連する様々な情報で構成されており、例えば映像音声素材タイトル、タイトルの種類、シーン番号、テイク番号、ビデオソース（ビデオカメラ）や、格納場所、サイズなど映像信号に関連する属性、内容などの各種関連情報が含まれている。
また伝送形態としてのメタデータはＳＤＩ（Ｓｅｒｉａｌ  Ｄｉｇｉｔａｌ  ｄａｔａ  Ｉｎｔｅｒｆａｃｅ  ）形式のアンシラリーデータパケットＡＮＣに割り当てられたユーザデータワード（ＵＤＷ）の中に記述される。
【０００４】
上述したメタデータの中に、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＳＭＰＴＥ３３０Ｍに規格化されたＩＤ（ユニークなＩＤ情報）があり、このＩＤとしてＵＭＩＤ（Ｕｎｉｑｕｅ  Ｍａｔｅｒｉａｌ  Ｉｄｅｎｔｉｆｉｅｒ）と呼ばれる、映像・音声素材との関連性では世界中で唯一無二のＩＤが定義されている。したがって、このＵＭＩＤは映像素材毎にグローバルにユニークなＩＤとして使用できるため、映像・音声素材の検索、照合などのときの目安として極めて有用である。
そして上記特許文献１には、ＵＭＩＤを有効に利用する情報検索技術が開示されている。
【０００５】
またビデオカメラ等で得られた素材データに関しては、通常、編集処理を経て１つの映像コンテンツなどとして完成される。そしてビデオカメラ等による撮像から数々の編集処理過程を経る際には、素材データに対しては、符号化、復号、編集、再符号化など、様々な処理が行われる。
上記特許文献２には、符号化の際のパラメータを利用して例えば再符号化などにおいて画質劣化を抑制する技術が開示されている。
【０００６】
【発明が解決しようとする課題】
ところで、圧縮された映像信号を編集する場合、一般的には次のような手順を踏んでいる。ビデオカメラ等からは圧縮符号化された映像信号が提供される。編集段階では、その圧縮映像信号をデコード（復号）し、ベースバンド信号とする。そしてベースバンド信号で編集を行う。その後エンコード（再符号化）を行い、圧縮された映像信号に戻す。
ここで圧縮信号をデコードし、その後再圧縮を行うという過程により画質の劣化が生ずることが問題となっており、上記特許文献２の技術は、それを防止するものであった。即ち、例えば符号化時（圧縮時）のパラメータを、映像データに付加して伝送していき、再符号化時（再圧縮時）などに最初の符号化時のパラメータを参照し、所要の処理を行うことで、画質劣化を防止するものである。
即ち、素材データに対する過去の処理パラメータを、現在の処理に反映させることで、画質劣化を最小限とできることが、既に知られている。
【０００７】
しかしながら、過去の処理パラメータを知るためには、映像データ等に過去の処理パラメータを付加した状態で伝送することが必要となる。例えばベースバンド信号の所定データ区間にパラメータ情報を付加して伝送する。このようにする必要性から、伝送する映像データ（例えばベースバンド信号）のデータ量の増大という事象が発生する。或いは逆に、データ量を増大させないうようにするために、付加するパラメータ情報を最小限とする必要がある。
即ち、過去の処理パラメータを映像データに付加して伝送することで、後段の処理において画質劣化の少ない好適な処理が可能となるが、そのためには伝送負かの増大が生じ、逆に伝送付加の増大が好ましくなければ、付加する処理パラメータを最小限として画質劣化防止効果を低下させる必要があった。
【０００８】
【課題を解決するための手段】
本発明はこのような事情に応じて、素材データの編集過程において、各処理部が過去の処理パラメータを利用して最適な処理を実行できるようにするとともに、素材データの伝送負荷の増大も発生させないようにすることを目的とする。
【０００９】
本発明のデータ編集システムは、符号化された素材データから、該符号化された素材データに付加されていた付加情報を抽出し、また上記符号化された素材データを復号するとともに該復号した復号データに上記抽出した付加情報に含まれるユニーク情報を付加する復号手段と、上記復号手段で抽出された上記ユニーク情報に、所定のパラメータ情報を対応させてデータベースに格納するデータベース手段と、上記ユニーク情報が付加された復号データを入力し、上記復号データに対して編集処理を行うとともに、該編集処理に利用する情報として、上記データベース手段から、上記ユニーク情報に対応するパラメータ情報を取得する編集手段とを備える。
さらには、上記編集手段で編集された、上記ユニーク情報が付加された復号データに対して符号化処理を行うとともに、該符号化処理に利用する情報として、上記データベース手段から上記ユニーク情報に対応するパラメータ情報を取得する符号化手段を備える。
【００１０】
本発明のデータ編集方法は、符号化された素材データから、該符号化された素材データに付加されていた付加情報を抽出し、また上記符号化された素材データを復号するとともに該復号した復号データに上記抽出した付加情報に含まれるユニーク情報を付加する復号ステップと、上記復号ステップで抽出された上記ユニーク情報に、所定のパラメータ情報を対応させてデータベースに格納するデータベース格納ステップと、上記ユニーク情報が付加された復号データを入力し、上記復号データに対して編集処理を行うとともに、該編集処理に利用する情報として、上記データベースから、上記ユニーク情報に対応するパラメータ情報を取得する編集ステップとを有する。
さらには、上記編集ステップで編集された、上記ユニーク情報が付加された復号データに対して符号化処理を行うとともに、該符号化処理に利用する情報として、上記データベースから上記ユニーク情報に対応するパラメータ情報を取得する符号化ステップを備える。
【００１１】
上記データ編集システム又は上記データ編集方法において、上記ユニーク情報に対応されて上記データベースに格納されるパラメータ情報とは、上記復号手段で抽出された付加情報として含まれている符号化パラメータ、又は、上記復号手段での復号処理で用いられた復号パラメータ、又は、上記編集手段での編集処理で用いられた編集パラメータである。
【００１２】
以上のデータ編集システム、データ編集方法によれば、符号化パラメータ、復号パラメータ、編集パラメータ等のパラメータ情報が、ユニーク情報と対応されてデータベースに格納される。ユニーク情報とは、例えばＵＭＩＤなど、素材データを特定できる情報である。
また編集のために復号処理（例えば圧縮デコードによるベースバンド化）された素材データに対しては、ユニーク情報が付加される。
従って、素材データに対する編集や再符号化などの際には、ユニーク情報をキーとしてデータベースから過去の処理に関するパラメータ情報を得ることができる。
【００１３】
本発明のデータ処理装置は、符号化された素材データから、該符号化された素材データに付加されていた付加情報を抽出する抽出手段と、上記符号化された素材データを復号する符号化データ復号手段と、上記符号化データ復号手段で復号した復号データに、上記抽出手段で抽出した付加情報に含まれるユニーク情報を付加して出力する復号データ出力手段と、上記ユニーク情報とともに、上記抽出手段で抽出した付加情報に含まれるパラメータ情報又は上記符号化データ復号手段での復号処理のパラメータ情報を外部サーバに出力するパラメータ出力手段とを備える。
このようなデータ処理装置によれば、上記データ編集システムにおける復号手段としての構成が実現される。また、このデータ処理装置によって、上記データ編集方法における復号ステップの動作が実行される。
【００１４】
本発明のデータ処理装置は、ユニーク情報が付加された復号データについて編集処理を行う復号データ編集手段と、上記復号データ編集手段での編集処理に利用するパラメータ情報の取得のために上記ユニーク情報を外部サーバに出力するユニーク情報出力手段と、上記ユニーク情報出力手段によるユニーク情報の出力に対応して、上記外部サーバからパラメータ情報を入力し、上記復号データ編集手段に供給するパラメータ入力手段とを備える。
また、上記ユニーク情報とともに、上記復号データ編集手段での編集処理のパラメータ情報を外部サーバに出力するパラメータ出力手段を、さらに備える。
このようなデータ処理装置によれば、上記データ編集システムにおける編集手段としての構成が実現される。また、このデータ処理装置によって、上記データ編集方法における編集ステップの動作が実行される。
【００１５】
本発明のデータ処理装置は、ユニーク情報が付加された復号データについて符号化処理を行う復号データ符号化手段と、上記復号データ符号化手段での符号化処理に利用するパラメータ情報の取得のために上記ユニーク情報を外部サーバに出力するユニーク情報出力手段と、上記ユニーク情報出力手段によるユニーク情報の出力に対応して、上記外部サーバからパラメータ情報を入力し、上記復号データ符号化手段に供給するパラメータ入力手段とを備える。
このようなデータ処理装置によれば、上記データ編集システムにおける符号化手段としての構成が実現される。また、このデータ処理装置によって、上記データ編集方法における符号化ステップの動作が実行される。
【００１６】
本発明のサーバ装置は、データベース手段と、外部装置から供給されたユニーク情報とパラメータ情報とを対応させて上記データベース手段に登録する登録処理手段と、外部装置から供給されたユニーク情報に基づいて上記データベース手段の検索を行う検索手段と、上記検索手段によるユニーク情報に基づいて検索によって得られたパラメータ情報を外部装置に出力するパラメータ出力手段とを備える。
このようなサーバ装置によれば、上記データ編集システムにおけるデータベース手段としての構成が実現される。また、このデータ処理装置によって、上記データ編集方法におけるデータベース格納ステップの動作、及び編集ステップや符号化ステップでの動作のためのパラメータ検索が実行される。
【００１７】
【発明の実施の形態】
以下、本発明の実施の形態を次の順序で説明する。
１．編集システム概要
２．編集システムの機能構成
３．撮像装置の構成及びメタデータ
４．編集装置のハードウエア構成
５．サーバのハードウエア構成及びデータベース
６．システム動作
【００１８】
１．編集システム概要
図１は実施の形態の編集システムの概要を示している。
撮像装置１は撮像動作を行い、映像データ及び音声データとしての素材データを得る。撮像装置１は、撮像した映像及び音声としての素材データを、例えば磁気テープ、或いは光ディスク等の記録メディア９０に記録する。
また詳しくは後述するが、撮像装置１においては素材データと共にメタデータを記録メディア９０に記録する。
上述したようにメタデータとは、ビデオカメラ等の撮像装置で撮像された映像信号や音声信号などを補足するデータとして、例えばＳＭＰＴＥ２９８Ｍ、３３５Ｍ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ２９８Ｍ、３３５Ｍ）で定義されたデータである。
【００１９】
特に本システムにおいては、メタデータの１つであるＵＭＩＤを有効に利用する。また、撮像装置１では、映像信号を圧縮して記録メディア９０に記録するが、その圧縮符号化時のパラメータ（以下、圧縮パラメータ）もメタデータの１つとなり、本システムでは圧縮パラメータを、編集装置２などに処理時に参照できるようにする。
【００２０】
撮像装置１において素材データが圧縮記録された記録メディア９０は、編集装置２に受け渡され、必要な編集が行われる。
なお、図１では１つの編集装置２のみ図示しているが、映像素材等は、実際には異なる編集装置で順次多数回の編集処理が行われたり、同一の映像素材が並列的に複数の編集装置において編集されることなどもある。
【００２１】
サーバ３は、伝送路５により編集装置２とデータ通信可能な機器とされる。そして特にサーバ３は、素材データに付されたＵＭＩＤに対応させて、上記圧縮パラメータ等の各種パラメータを記憶するデータベースを備える。
そして編集装置２との通信により、データベース登録やデータベース検索を行う。
伝送路５は、例えばＬＡＮ（Ｌｏｃａｌ  Ａｒｅａ  Ｎｅｔｗｏｒｋ）伝送路として、サーバ３が編集装置２を構成するパーソナルコンピュータ或いはワークステーション等と通信可能とされても良いし、或いはＵＳＢ、ＳＣＳＩなどの規格で編集装置２と接続されても良い。
さらには、伝送路５をサーバ３がインターネット等のネットワーク伝送路であるとし、サーバ３がウエブサイトなどの形態で編集装置２からアクセス可能な構成とすることも考えられる。
つまりサーバ３は編集装置２からアクセス可能な構成であればよく、伝送路５としても実際の形態は、ＬＡＮ、周辺機器通信路、公衆回線、専用回線、衛星通信回線、無線伝送路など、多様に考えられる。
【００２２】
編集装置２で編集された映像、例えば映像コンテンツとして完成された映像信号は、送出装置４に送られ、例えばテレビジョン放送、記録メディア、ダウンロードなどの形態でユーザー（視聴者）に提供される。
【００２３】
２．編集システムの機能構成
編集システム、特に編集装置２とサーバ３の機能構成を図２，図３で説明する。なお、図３は、各装置において例えばソフトウエア機能（もちろんハードウエアでも良いが）によって実現される機能を示す。
図２に示すように編集装置２は圧縮デコード処理部２ａ、編集処理部２ｂ、圧縮エンコード処理部２ｃを有する構成とされる。
またサーバ３はデータベース３ａを備える。
【００２４】
図２に示すように圧縮デコード処理部２ａには、記録メディア９０によって、撮像装置１からのメタデータ付きの圧縮信号が提供される。圧縮信号とは、圧縮された素材データ（映像及び音声）のことである。そしてその圧縮信号にはメタデータが付加されているが、特にいえば、そのメタデータの中にはＵＭＩＤと圧縮パラメータが含まれている。上記したように圧縮パラメータとは、撮像装置１での圧縮処理の際に用いられたパラメータである。
【００２５】
編集装置２における圧縮デコード処理部２ａは、記録メディア９０を再生し、メタデータ付きの圧縮信号を得る。
圧縮デコード処理部２ａは、圧縮信号のデコード、つまり圧縮を解除する復号処理を行ってベースバンド信号とし、ＵＭＩＤを付加して編集処理部２ｂに供給する。またＵＭＩＤとパラメータ（圧縮パラメータ及びデコードパラメータの一方又は両方）をサーバ３に供給する。
このため圧縮デコード処理部２ａは、図３に示すように、デコード機能２０１，メタデータ抽出機能２０２、ベースバンド処理機能２０３、ＵＭＩＤ／パラメータ送信機能２０４を備える。
【００２６】
デコード機能２０１は、圧縮信号に対してデコード（復号）を行う。
メタデータ抽出機能２０２は、圧縮信号に含まれているメタデータを抽出する。さらには、メタデータの中からＵＭＩＤと圧縮パラメータを抽出する。
ベースバンド処理機能２０３は、デコード機能２０１で得られたベースバンド信号を編集処理部２ｂに転送するための処理を行う。このとき、特にメタデータ抽出機能２０２で抽出されたメタデータのうちＵＭＩＤのみを、ベースバンド信号に付加する。例えばベースバンド信号のアンシラリ（ａｎｃｉｌｌａｒｙ）区間にＵＭＩＤを埋め込む。そしてＵＭＩＤを付加したベースバンド信号を編集処理部２ｂに出力する。
ＵＭＩＤ／パラメータ送信機能２０４は、ＵＭＩＤとパラメータを対応させて、データベース登録のためにサーバ３に送信する機能である。
即ちメタデータ抽出機能２０２によって抽出されたメタデータの内で、ＵＭＩＤと圧縮パラメータを対応させて送信情報とする。さらにデコード機能２０１においてデコード時に使用したパラメータも送信情報に含むことができる。
【００２７】
図２に示すように編集処理部２ｂは、圧縮デコード処理部２ａからのＵＭＩＤ付きベースバンド信号が供給される。
編集処理部２ｂは、ベースバンド信号に対して所要の編集処理を行う。また、サーバ３に対してアクセスを行う。
このため編集処理部２ｂは、図３に示すように、データ編集機能２１１，ＵＭＩＤ／パラメータ送信機能２１２、ＵＭＩＤ送信機能２１３、パラメータ受信機能２１４を備える。
【００２８】
データ編集機能２１１は、ベースバンド信号に対して各種の編集を行う機能を指す。例えば色調整、輝度調整等の信号処理、カット編集、映像合成、映像挿入、特殊映像効果、音声付加、その他映像コンテンツの制作に必要な各種の編集処理を行う。そして編集したＵＭＩＤ付きのベースバンド信号を、圧縮エンコード処理部２ｃに出力する。
ＵＭＩＤ／パラメータ送信機能２１２は、ベースバンド信号に付加されていたＵＭＩＤと、データ編集機能２１１の処理で用いた編集パラメータを対応させて、データベース登録のためにサーバ３に送信する機能である。編集パラメータとは、編集処理で新たに設定するパラメータや、過去の圧縮時の圧縮パラメータやデコード時のデコードパラメータを変更或いは無効とするパラメータを含む。
ＵＭＩＤ送信機能２１３は、ベースバンド信号に付加されていたＵＭＩＤを、データベース検索のためにサーバ３に送信する機能である。
パラメータ受信機能２１４は、上記ＵＭＩＤ送信機能２１３によって送信されたＵＭＩＤに基づいてサーバ３で行われるデータベース検索の結果として送信されてくるパラメータ（圧縮パラメータやデコードパラメータ）を受信する機能である。受信したパラメータはデータ編集機能２１１に受け渡す。これによってデータ編集機能２１１では、編集対象となっているベースバンド信号の過去の圧縮符号化、或いは復号化（デコード）の際に用いられたパラメータを用いた編集処理が可能となる。
【００２９】
図２に示すように圧縮エンコード処理部２ｃは、編集処理部２ｂから編集結果としてのＵＭＩＤ付きベースバンド信号が供給される。
そして圧縮エンコード処理部２ｃは、この編集後のベースバンド信号に対して再圧縮符号化処理を行う。そして再圧縮することで得られた圧縮信号を例えば記録メディア９０に記録し、外部装置に提供する。例えば図１の送出装置４に提供したり、或いはさらに他の編集装置２に提供できる。
また圧縮エンコード処理部２ｃは、サーバ３に対してのアクセスも行う。
このため圧縮エンコード処理部２ｃは、図３に示すように、エンコード機能２２１，ＵＭＩＤ送信機能２２２、パラメータ受信機能２２３を備える。
【００３０】
エンコード機能２２１は、ベースバンド信号を圧縮信号とする圧縮エンコードを行う機能を指す。
ＵＭＩＤ送信機能２２２は、ベースバンド信号に付加されていたＵＭＩＤを、データベース検索のためにサーバ３に送信する機能である。
パラメータ受信機能２２３は、上記ＵＭＩＤ送信機能２２２によって送信されたＵＭＩＤに基づいてサーバ３で行われるデータベース検索の結果として送信されてくるパラメータ（圧縮パラメータ、デコードパラメータ、編集パラメータ）を受信する機能である。受信したパラメータはエンコード機能２２１に受け渡す。これによってエンコード機能２２１では、符号化対象となっているベースバンド信号の過去の圧縮符号化、或いは復号化（デコード）、或いは編集処理の際に用いられたパラメータを用いた編集処理が可能となる。
【００３１】
図２に示すように、サーバ３はデータベース３ａを備え、また編集装置２（圧縮デコード処理部２ａ、編集処理部２ｂ、圧縮エンコード処理部２ｃ）からアクセスされ、それに応じてデータベース登録やデータベース検索を行う。
このため図３に示すように、サーバ３は、登録データ処理機能３０１，検索データ処理機能３０２，パラメータ送信機能３０３，データベースアクセス機能３０４を備える。
【００３２】
データベースアクセス機能３０４は、例えばデータベース３ａが形成される大容量記録媒体、例えばＨＤＤ等に対して記録／再生アクセスを行う。つまり実際のデータベース３ａに対しての登録や検索のための動作を行う機能を指している。
【００３３】
登録データ処理機能３０１は、データベース登録のための処理を行う。
例えば圧縮デコード処理部２ａのＵＭＩＤ／パラメータ送信機能２０４から送信されてくる情報、即ちＵＭＩＤ及び圧縮パラメータやデコードパラメータは、登録データ処理機能３０１で処理される。登録データ処理機能３０１は、ＵＭＩＤに対応させて圧縮パラメータやデコードパラメータを登録データとする処理をおこない、データベースアクセス機能３０４に受け渡す。これによってデータベース３ａに、ＵＭＩＤとともに圧縮パラメータやデコードパラメータが登録される。
また編集処理部２ｂのＵＭＩＤ／パラメータ送信機能２１２から送信されてくる情報、即ちＵＭＩＤ及び編集パラメータも、登録データ処理機能３０１で処理される。登録データ処理機能３０１は、ＵＭＩＤに対応させて編集パラメータを登録データとする処理をおこない、データベースアクセス機能３０４に受け渡す。これによってデータベース３ａに、ＵＭＩＤとともに編集パラメータが登録される。
【００３４】
検索データ処理機能３０２は、データベース検索のための処理を行う。またパラメータ送信機能３０３は、データベース検索の結果を送信する処理を行う。
例えば編集処理部２ｂのＵＭＩＤ送信機能２１３、もしくは圧縮エンコード処理部２ｃのＵＭＩＤ送信機能２２２から送信されてくるＵＭＩＤは、検索データ処理機能３０２として、検索情報として処理され、データベースアクセス機能３０４に検索用のキーとして受け渡される。これによってデータベースアクセス機能３０４は、データベース３ａに対してＵＭＩＤに基づく検索を行い、対応して格納されているパラメータを抽出する。
抽出されたパラメータは、パラメータ送信処理機能３０３に受け渡され、検索の要求元である編集処理部２ｂや圧縮エンコード処理部２ｃに送信される。
【００３５】
３．撮像装置の構成及びメタデータ
続いて上記のような各部の機能を実現する編集システムの機器構成を説明していくが、ここではそれに先だって、まず本例の編集システムに圧縮信号を提供する撮像装置１の構成及びメタデータについて説明する。
【００３６】
図４に撮像装置１のブロック図を示す。
システムコントローラ１１は、マイクロコンピュータにより構成され、撮像装置１の全体を制御する。即ち以下説明する各部の動作制御を行う。
カメラ部１２は、映像撮像のための部位であり、撮像部１３、撮像信号処理部１４、カメラコントローラ１５を備える。
撮像部１３は、撮像レンズや絞りなどを備えて構成されるレンズ系、レンズ系に対してフォーカス動作やズーム動作を行わせるための駆動系、レンズ系で得られる撮像光を検出し、光電変換を行うことで撮像信号を生成するＣＣＤ（Ｃｈａｒｇｅ  Ｃｏｕｐｌｅｄ  Ｄｅｖｉｃｅ）  などが設けられる。
【００３７】
撮像信号処理部１４は、カメラ部１３のＣＣＤによって得られる信号に対するゲイン調整や波形整形を行うサンプルホールド／ＡＧＣ（Ａｕｔｏｍａｔｉｃ  Ｇａｉｎ  Ｃｏｎｔｒｏｌ）回路や、ビデオＡ／Ｄコンバータを備え、撮像によるデジタル映像データを生成する。
【００３８】
カメラコントローラ１５は、システムコントローラ１１からの指示に基づいて、撮像部１３及び撮像信号処理部１４の動作を制御する。例えばカメラコントローラ１５は、撮像部１３に対しては、オートフォーカス、自動露出／絞り調整、ズームなどの動作を実行させるための制御（モータ制御）を行うものとされる。
またカメラコントローラ１５はタイミングジェネレータを備え、ＣＣＤ及び撮像信号処理部１４のサンプルホールド／ＡＧＣ回路、ビデオＡ／Ｄコンバータに対しては、タイミングジェネレータにて生成されるタイミング信号により信号処理動作を制御する。
【００３９】
カメラ部１２では以上の構成により、撮像映像データを生成する。
また、マイクロホン３３で得られた音声信号は音声信号処理部３４でＡ／Ｄ変換され、撮像映像データに同期した音声データが生成される。
【００４０】
記録再生部１６は、カメラ部１２で得られた撮像映像データ（及びマイクロホン３３で得られた音声データ）を記録メディア９０に記録し、また再生できる部位である。
記録再生部１６にはエンコード／デコード部１７、メディアドライブ１８、記録再生コントローラ１９が設けられる。
【００４１】
エンコード／デコード部１７は、撮像時にはカメラ部１７で得られる撮像映像データ及び音声データについて、圧縮符号化処理や、記録メディア９０への記録フォーマットに変換する記録用符号化処理など行う。さらに記録信号へのメタデータの挿入も行われる。
圧縮符号化（エンコード）としては、例えばＭＰＥＧ（Ｍｏｖｉｎｇ  Ｐｉｃｔｕｒｅ  Ｅｘｐｅｒｔｓ  Ｇｒｏｕｐ）方式、ＪＰＥＧ  （Ｊｏｉｎｔ  Ｐｈｏｔｏｇｒａｐｈｉｃ  Ｅｘｐｅｒｔｓ  Ｇｒｏｕｐ）方式或いは他の圧縮方式の処理が行われる。
そしてエンコード／デコード部１７でエンコード処理された撮像映像データ（及び音声データ）は、メディアドライブ１８に供給され、装填されている記録メディア９０にに記録される。
記録メディア９０に記録されたデータ、即ち映像・音声の素材データ及びメタデータが含まれた圧縮信号は、例えば図１に示したように記録メディア９０が受け渡されることで編集装置２に提供される。
【００４２】
なお撮像装置１に装填される記録メディア９０が磁気テープカセットとされる場合は、メディアドライブ１８は、テープ記録再生装置部とされ、また記録メディア９０が光ディスクとされる場合は、メディアドライブ１８は、ディスク記録再生装置部とされとなることはいうまでもない。
【００４３】
記録メディア９０に記録されたデータの再生時には、ディスクドライブ１８によって再生された映像データ（及び音声データ）がエンコード／デコード部１７でデコード処理される。例えば記録メディア９０での記録用の符号化処理に対するデコード処理が施される。或いはさらに、圧縮符号化に対するデコード処理が施される。
【００４４】
記録再生コントローラ１９は、システムコントローラ１１の指示に基づいて、エンコード／デコード部１７の処理やメディアドライブ１８による記録及び再生動作、及びデータの入出力に関する制御を行う。
【００４５】
撮像時にカメラ部１７で得られた撮像映像データや、記録メディア９０から再生された映像データは、ビューファインダ３１に表示可能とされる。
撮像実行時、及び撮像スタンバイ時などにおいてカメラ部１２が撮像映像データを出力している際は、その撮像映像データはビューファインダドライバ３０に供給される。
ビューファインダドライバ３０は、システムコントローラ１１からの指示に応じて、それぞれ撮像映像データによる映像をビューファインダ３１に表示させる動作を行う。またシステムコントローラ１１の指示に応じて所定のキャラクタ画像を重畳表示させる。
また、記録メディア９０からの映像データ再生時においては、ディスクドライブ１８で再生出力され、エンコード／デコード部１７でデコードされた映像データがビューファインダドライバ３０に供給される。ビューファインダドライバ３０は、システムコントローラ１１からの指示に応じて、それぞれ供給された映像データ及び重畳するキャラクタ画像による映像をビューファインダ３１に表示させる動作を行う。
従って撮像者（カメラマン）は、ビューファインダ３１を見ながら撮像のスタンバイ（被写体の確認時）及び撮像の際のモニタリングや、記録メディア９０に記録された映像内容のチェック、或いは簡単な編集操作などを行うことができる。
【００４６】
また記録メディア９０から再生されたオーディオデータは、オーディオドライバ３５でＤ／Ａ変換され、またフィルタリングや増幅などの信号処理がされてスピーカ部３６から出力される。
【００４７】
外部インターフェース２０は、外部装置としてのオーディオ・ビジュアル機器、情報機器、ストレージ機器などとの間で映像データ等を入出力する部位である。
通信部２１は例えば有線・無線でネットワーク通信を行う部位である。例えばモデム、イーサーネットインターフェース、携帯電話インターフェースなどにより形成される。
通信部２１、或いは外部インターフェース２０により、有線又は無線で通信接続することで、各種データ通信が可能となる。
このように通信部２１や外部インターフェース２０を設けた場合、撮像装置１はネットワーク７やインターフェースケーブル等を介して例えば編集装置２に接続し、上述した圧縮信号としての映像データ等を送信することも可能となる。
通信部２１は、撮像装置１に内蔵されるものとしてもよいし、別体機器として撮像装置１に接続されることで、撮像装置１のネットワーク通信を可能としてもよい。また撮像装置１が上述したサーバ３にアクセスを行うことも可能とできる。
【００４８】
ＲＯＭ２２，ＲＡＭ２３、フラッシュメモリ２４は、それぞれシステムコントローラ１１が必要なデータやプログラムの記憶や演算領域として用いる。
例えばＲＯＭ２３には、システムコントローラ１１の処理プログラム、固定データ等が記憶される。ＲＡＭ２３は一時的な情報の格納やワーク領域として用いられる。フラッシュメモリ２４は各種の制御係数などが記憶される。
【００４９】
操作部２７には、当該撮像装置１に対する操作のための各種操作子が用意されている。即ち電源操作、撮像操作、再生操作、ズーム操作、各種モード操作、編集操作などのための操作子が形成される。
システムコントローラ１１は、これらの操作子によるユーザの操作を検出することに応じて、各部に対して必要な動作が実行されるように制御する。
【００５０】
電源部３２は例えばＤＣ／ＤＣコンバータにより、内蔵のバッテリにより得られる直流電源あるいは、電源アダプタを介して商用交流電源から生成された直流電源を利用して、各回路部に対して所要のレベルの電源電圧を供給する。電源部３２による電源オン／オフは、上述した操作部２７からの電源操作に応じてシステムコントローラ１１が制御する。
【００５１】
ところで記録再生部１６で映像データが記録される際には、メタデータが挿入されると述べた。このためＵＭＩＤ生成部２９、メタデータ生成部２８が設けられる。
ＵＭＩＤの構造は後述するが、ＵＭＩＤ生成部２９は、システムコントローラ１１の制御に基づいて、素材データに固有の情報となるＵＭＩＤを生成する。例えば時刻情報やＧＰＳ情報などを用いてＵＭＩＤを生成する。
またメタデータ生成部２８は、システムコントローラ１１から供給されたデータやパラメータ、ＵＭＩＤ生成部２９から供給されたＵＭＩＤ、さらにはエンコード／デコード部１７での圧縮エンコードの際に用いられた圧縮パラメータ等を用いて、メタデータを生成する。生成されたメタデータは記録再生コントローラ１９に供給され、さらにエンコード／デコード部１７での記録フォーマットへのエンコード時に記録データに挿入される。
【００５２】
そして記録メディア９０には、例えば図５のような形態での圧縮信号が記録されることになる。
図５において、フレームとは、ＧＯＰ（Ｇｒｏｕｐ  Ｏｆ  Ｐｉｃｔｕｒｅ）を構成する１ピクチャ（画像）のことであり、クリップとは、撮像装置１による１回の記録開始から記録終了に至るまでの所定の範囲の素材データとしてのＡＶデータ（例えば、ＧＯＰ単位で構成される、一連のビデオデータ）のことである。
そして例えば図示するようにフレームを構成する音声データ、映像データに対して、フレームメタデータが付加され、また複数フレームから成るクリップ単位で、クリップメタデータが挿入される。
【００５３】
メタデータについて説明する。
メタデータとしては、映像信号に対して、フレームごと等に付されるＫＬＶ（Ｋｅｙ  Ｌｅｎｇｔｈ  Ｖａｌｕｅ）メタデータ、ビデオカメラによる撮像が行われた位置を表すＧＰＳ（Ｇｌｏｂａｌ  Ｐｏｓｉｔｉｏｎｉｎｇ  Ｓｙｓｔｅｍ）の情報、その撮像が行われた日時（年、月、日、時、分、秒）、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）メタデータ、撮像が行われたビデオカメラの設定／制御情報のカメラメタデータなどがある。
なお、ＫＬＶメタデータとは、参照データに設定されるタイムコードとしてのＬＴＣ（Ｌｏｎｇｉｔｕｄｉｎａｌ  Ｔｉｍｅ  Ｃｏｄｅ）、ＬＴＣの特徴を決めるＵＢ（Ｕｓｅｒ  Ｂｉｔ）、ワールドワイドで唯一のＩＤとしてのＵＭＩＤ（Ｕｎｉｑｕｅ  Ｍａｔｅｒｉａｌ  Ｉｄｅｎｔｉｆｉｅｒ）などである。
ＡＲＩＢメタデータとは、ＡＲＩＢで標準化され、ＳＤＩ（Ｓｅｒｉａｌ  Ｄｉｇｉｔａｌ  Ｉｎｔｅｒｆａｃｅ）等の標準の通信インタフェースに重畳されるメタデータである。また、カメラメタデータとは、例えば、ＩＲＩＳ（アイリス）制御値や、ホワイトバランス／ブラックバランスのモード、レンズのズームやフォーカスなどに関するレンズ情報などである。
【００５４】
ところで、メタデータのうち、必須部分に相当するものとしては、例えば、ＫＬＶのデータ構造からなるＬＴＣ／ＵＢ，ＵＭＩＤ、および、その他のＫＬＶメタデータ（例えば、画像または音声の特徴を示す電子マークデータであるエッセンスマーク）などが挙げられ、選択部分に相当するものとしては、例えば、ＡＲＩＢメタデータやカメラメタデータ、およびＧＰＳデータなどが挙げられる。
【００５５】
上記図５においては、各フレームに関するメタデータをフレームメタデータといい、クリップに関するメタデータをクリップメタデータとして示している。フレームメタデータは、記録メディア９０において、映像信号や音声信号が記録されるタイミングで周期的に記録され、クリップメタデータは、無作為（ランダム）に記録される。
【００５６】
フレームメタデータは、例えば、ＸＭＬ（ｅＸｔｅｎｓｉｂｌｅ  Ｍａｒｋｕｐ  Ｌａｎｇｕａｇｅ）方式のファイルをバイナリ変換したＢＩＭ（Ｂｉｎａｒｙ  Ｆｏｒｍａｔ  ｆｏｒ  Ｍｅｔａｄａｔａ）ベースの所定の言語などにより記述され、ディスク装置１０による光ディスク１１に対する記録および再生を単純な処理で行えるようにするため（ＣＰＵ処理負荷低減のため）、必須部分と選択部分を合わせて１ファイルにする。付言すれば、フレームメタデータは、映像信号および音声信号と同期して周期的に出力され、リアルタイム性（実時間性）が要求されるメタデータであって、データ量の少ないＢＩＭ形式が用いられる。
また、フレームメタデータは、ファイル管理の複雑さやマウント／アンマウント時間の観点から、さらには、ＡＲＩＢメタデータの場合におけるようにフレームインターリーブで出力する必要があることから、１つのフレームにつき１つのファイルとされる。なお、選択部分のカメラメタデータなどは、パーソナルコンピュータ等で容易に読み取ることができるようにするため、テキスト表記であることが望ましい。
【００５７】
このフレームメタデータは、光ディスク１１上において、フレーム毎に素材データ（ＡＶデータ）の近傍に配置されて記録されることにより、それらの読み出し時のシークの発生を極力抑え、高速再生を実現することができる。
【００５８】
クリップメタデータは、例えば、ＸＭＬベースの所定の言語などにより記述され、ディスク装置１０による光ディスク１１に対する記録および再生を単純な処理で行えるようにするため（ＣＰＵ処理負荷低減のため）、ＬＴＣ／ＵＭＩＤ、ＧＰＳデータ、その他のメタデータ（例えば、先頭タイムコード、不連続点タイムコード情報（先頭からのフレーム数をセットで持つ情報）、先頭のＥｘｔｅｎｄｅｄ  ＵＭＩＤのソースパック（記録日時、記録場所、ユーザ情報等）、不連続点のＥｘｔｅｎｄｅｄ  ＵＭＩＤのソースパックなど）を合わせて１ファイルにする。付言すれば、クリップメタデータは、クリップおよび編集結果の属性とされ、リアルタイム性が要求されないメタデータであって、ＸＭＬ形式が用いられる。またクリップメタデータは、ＬＴＣ／ＵＭＩＤは変化点の数が変わり、ＧＰＳデータは時間によりデータ量が変わるが、それらのデータ量が変わっても問題ないようにすることから、１つのクリップにつき１つのファイルとされる。なお、ＧＰＳデータやその他のメタデータなどは、パーソナルコンピュータ等で容易に読み取ることができるようにするため、テキスト表記であることが望ましい。
【００５９】
このクリップメタデータは、記録メディア９０において、フレーム毎に記録されるフレームメタデータとは異なり、クリップ単位で記録されることにより、その読み出し時間を短縮し、タイムコード、記録日時、記録場所、またはユーザ情報などによる特定フレームの高速検索を実現することができる。なお、このクリップメタデータは、記録メディア９０において特定領域にまとめて記録してもよいし、複数の特定領域に分割して記録してもよい。
【００６０】
圧縮符号化パラメータなど、信号処理に係るパラメータは、フレームに対応するメタデータとして挿入される場合も、クリップ単位で対応するメタデータとされる場合もある。
【００６１】
メタデータの１つであるＵＭＩＤは以下のようなものである。
ＵＭＩＤとは、マテリアル（オーディオ、ビデオデータ等）についてのユニーク性を示すワールドワイドで唯一のＩＤ（識別情報）のことであり、さらにいえば各フレーム単位においても唯一のＩＤ情報となる。
図６はＵＭＩＤの内容を示す。ＳＭＰＴＥ３３０Ｍに定義されたＵＭＩＤは、映像・音声素材に割り当てられるグローバルにユニークなＩＤであって、ベーシックＵＭＩＤと拡張ＵＭＩＤとが定義されている。
【００６２】
図６（ａ）はベーシックＵＭＩＤのデータフォーマットであって、図示するように１２バイト構成のユニバーサルラベル（Ｕｎｉｖｅｒｓａｌ  ｌａｂｅｌ）のうち第１バイトから第１０バイトまでは固定のバイト列である。ユニバーサルラベルの第１１および第１２バイトは、例えば、画像と音声が同時記録であり、元素材であるようなときには、０４ｈ、１１ｈのデータとなる。レングス（Ｌ）は１バイト構成であり、収録された映像・音声素材のビット長であり、さらに元素材の場合、３バイト構成のインスタンスナンバー（Ｉｎｓｔ．Ｎｏ）は、００ｈ、００ｈ、００ｈとなる。
【００６３】
次に、１６バイトで構成されるマテリアルナンバー（Ｍａｔｅｒｉａｌ  Ｎｕｍｂｅｒ）は、図６（ｂ）に示すようにタイムスナップ（Ｔｉｍｅ  Ｓｎａｐ）と乱数（Ｒｎｄ）と、図６（ｃ）に示すマシンノード（Ｍａｃｈｉｎｅ  Ｎｏｄｅ）で構成される。
タイムスナップは、フレーム（Ｆｒａｍｅ）、秒（Ｓｅｃｏｎｄ）、分（Ｍｉｎｕｔｅ）、時（Ｈｏｕｒ）を表す８バイトからなり、これらの各値は、例えば機器内部のタイムコードジェネレータが発生する時計情報から生成し、例えば元素材の機材が撮像装置１のようにカメラ一体型ＶＴＲを使用したものであるときには、撮像中にフレーム単位でこのタイムスナップ情報が磁気テープ等の記録メディア９０に記録される。
例えば西暦２００１年３月３０日である場合、その日付を表す２００１．０３．３０をユリウス日に変換し、さらにその時計の設定からタイムゾーンが例えば日本であることを知り９７ｈとして、タイムスナップの８バイトを揃える。
【００６４】
乱数（Ｒｎｄ）は、下位バイト（ｌｏｗｅｒ）と上位バイト（ｕｐｐｅｒ）からなり、それらの値は例えばソフトウェアで自走するＭ系列発生器から取得する。乱数の値はシーン毎に変化する。
さらに、マシンノードは図６（ｃ）に示すように６バイトで構成されている。ネットワーク上で使用されるこのマシンノードのどのバイトに何を宛うかについては、ＥＵＩ４８（Ｅｘｔｅｎｄｅｄ  Ｕｎｉｑｕｅ  Ｉｄｅｎｔｉｆｉｅｒ）に規定されている。６バイトのうち、最初の３バイトが組織名に与えられた固有の値であり、残り３バイトが使用機材（カメラ一体型ＶＴＲなど）に与えられた機材固有のシリアル番号である。
【００６５】
図６（ｄ）はＳＭＰＴＥ３３０Ｍで定義された拡張ＵＭＩＤ（Ｅｘｔｅｎｄｅｄ  ＵＭＩＤ）のデータフォーマットである。この拡張ＵＭＩＤは、図６（ａ）に示した３２バイトのベーシック（Ｂａｓｉｃ）ＵＭＩＤに、同じく３２バイトのシグネチャーメタデータ（Ｓｉｇｎａｔｕｒｅ  Ｍｅｔａｄａｔａ）が付加されてトータル６４バイトで構成される。
シグネチャーメタデータは、図６（ｄ）のように８バイトのタイムデータ（Ｔｉｍｅ／Ｄａｔａ）、１２バイトのスペーシャルコーディネイト（Ｓｐａｔｉａｌ  ｃｏｏｒｄｉｎａｔｅ）、４バイトのカントリー（Ｃｏｕｎｔｒｙ）コード、４バイトのオーガニゼイション（Ｏｒｇａｎｉｚａｔｉｏｎ）、４バイトのユーザコード（Ｕｓｅｒ  Ｃｏｄｅ）からなる。なお、マテリアルナンバー（Ｍａｔｅｒｉａｌ  Ｎｕｍｂｅｒ）は、８バイトのタイムスナップ（Ｔｉｍｅ  Ｓｎａｐ）と、２バイトの乱数（Ｒｎｄ）と、５バイトのマシンノード（Ｍａｃｈｉｎｅ  Ｎｏｄｅ）で構成されている。
【００６６】
４．編集装置のハードウエア構成
次に編集装置２の構成を図７、図８で説明する。
図２で説明したように、編集装置２は圧縮デコード処理部２ａ、編集処理部２ｂ、圧縮エンコード処理部２ｃを有する装置部となるが、ここでは、図７に示すようにコンピュータ装置４０と、そのコンピュータ装置４０に外部機器として接続されたデコード／エンコード装置６０を用いて編集装置２を実現する例を挙げる。即ち、コンピュータ６０は、主に編集処理部２ｂとして機能し、またデコード／エンコード装置６０は、圧縮デコード処理部２ａ及び圧縮エンコード処理部２ｃとして機能する例である。
【００６７】
コンピュータ装置４０は、本例の編集装置２としての機能を実現するプログラムがインストールされ、そのプログラムが起動されることで編集動作を実行する装置とされる。
即ちこのコンピュータ装置４０では、ベースバンド映像／音声信号に対する編集機能が例えばソフトウエアにより実現される。
【００６８】
図７においてＣＰＵ４１は、起動されたプログラムに基づいて各部の制御や演算処理を行う。例えばオペレータに対する入出力動作、メモリ制御、ＨＤＤ（ハードディスクドライブ）制御、ネットワークを介した通信動作、外部インターフェース制御、ディスク記録媒体等の記録再生制御、データ演算などを行う。
ＣＰＵ４１はバス４２を介して各回路部との間で制御信号やデータのやりとりを行う。
【００６９】
メモリ部４３はＣＰＵ４１が処理に用いるＲＡＭ、ＲＯＭ、フラッシュメモリなどを包括的に示している。
メモリ部４３におけるＲＯＭには、ＣＰＵ４１の動作プログラム、プログラムローダー等が記憶される。メモリ部４３におけるフラッシュメモリには、各種演算係数、プログラムで用いるパラメータ等が記憶される。メモリ部４３におけるＲＡＭには、プログラムを実行する上でのデータ領域、タスク領域が一時的に確保される。
【００７０】
入力部４５は、キーボード、マウス、タッチパネル、リモートコマンダー、スキャナその他の入力デバイスであって、オペレータが各種操作入力やデータ入力を行う。入力された情報は入力処理部４４で所定の処理が施され、ＣＰＵ４１に対して操作又はデータの入力として伝達される。ＣＰＵ４１は入力された情報に対応して必要な演算や制御を行う。
【００７１】
表示部４７は、例えばＣＲＴや液晶パネルなどの表示デバイスとされ、オペレータに対して各種情報表示を行う。
ＣＰＵ４１が各種動作状態や入力状態に応じて表示情報を表示処理部４６に供給すると、表示処理部４６は供給された表示データに基づいて表示部４７に表示動作を実行させる。
【００７２】
ＨＤＤ４８は、各種プログラムの格納やその他の各種データ格納のための領域、さらには編集過程の映像／音声等の素材データ、編集後のデータなどの格納のための領域などとして使用される。
【００７３】
通信処理部４９は、ＣＰＵ４１の制御に基づいて送信データのエンコード処理、受信データのデコード処理を行う。
ネットワークインターフェース５０は、通信処理部４９でエンコードされた送信データをネットワーク７を介して所定の機器に送信する。またネットワーク７を介して外部機器から送信されてきた信号を通信処理部４９に受け渡す。
通信処理部４９は受信した情報をＣＰＵ４１に転送する。
【００７４】
ディスクドライブ５５は、例えばＣＤ−ＤＡ、ＣＤ−ＲＯＭ、ＣＤ−ＲなどのＣＤ方式のディスクや、ＤＶＤ−ＲＯＭ、ＤＶＤ−ＲＡＭ、ＤＶＤ−ＲなどのＤＶＤ方式のディスクに対して記録再生を行うディスクドライブである。
例えば編集装置としてのアプリケーションプログラムやデータなどが、ＣＤ−ＲＯＭやＤＶＤ−ＲＯＭに収録されて提供される場合、ディスクドライブ５５にディスクを装填し、プログラムやデータのインストールを行うことができる。
【００７５】
外部インターフェース５４は、例えばＩＥＥＥ１３９４、ＵＳＢ、ＳＣＳＩなどの方式により接続された周辺機器と接続し、データ通信を行う部位である。
ディスクドライブ５５に相当する機器が周辺機器として接続されてもよい。また外部ＨＤＤを接続して、その外部ＨＤＤにプログラムや必要なデータ等が格納されるようにしてもよい。もちろんプリンタ、スキャナなどが接続される場合もある。さらに他の情報処理装置とＬＡＮが形成されるようにしてもよい。
【００７６】
音声処理部５３は、オペレータに対して出力するオーディオデータを処理し、音声出力部５２、例えばスピーカ部やヘッドホン端子に供給して音声出力させる。
音声処理部５３、音声出力部５２によっては、素材データ或いは編集において付加する音声データについて音声出力が可能である。もちろんディスクドライブ５５でディスクから再生されたオーディオデータや、ＨＤＤ４８又は他の部位に格納されているオーディオファイル等の再生出力も実行される。
【００７７】
デコード／エンコード装置６０は、例えばコンピュータ装置４０の外部機器として、外部インターフェース５４を介して接続される。
デコード／エンコード装置６０は、例えば図８のような構成を有する。
デコード／エンコード装置６０におけるＣＰＵ６１は、起動されたプログラムに基づいて各部の制御や演算処理を行う。特には、記録メディア９０に対する記録再生動作制御や、圧縮信号からベースバンド信号へのデコード処理、ベースバンド信号から圧縮信号へのエンコード処理、メタデータの抽出処理などのための制御を行う。
ＣＰＵ６１はバス６８を介して各回路部との間で制御信号やデータのやりとりを行う。
【００７８】
メモリ部６２はＣＰＵ６１が処理に用いるＲＡＭ、ＲＯＭ、フラッシュメモリなどを包括的に示している。
メモリ部６２におけるＲＯＭには、ＣＰＵ６１の動作プログラム、プログラムローダー等が記憶される。メモリ部６２におけるフラッシュメモリには、各種演算係数、プログラムで用いるパラメータ等が記憶される。メモリ部６２におけるＲＡＭには、プログラムを実行する上でのデータ領域、タスク領域が一時的に確保される。
【００７９】
メディアドライブ６３は、ＣＰＵ６１の制御に基づいて、例えば磁気テープカセット等の記録メディア９０に対する記録再生を行う。
データプロセス部６９及びデータバッファ６４は、ＣＰＵ６１の制御に基づいて、エンコード／デコード装置６０として必要な信号処理を行う。
【００８０】
例えばメディアドライブ６３によって圧縮信号が再生された際には、再生された圧縮信号６３はデータバッファ６４に一時的に取り込まれていく。データプロセス部６９は、データバッファ６４に取り込まれた圧縮信号に対してデコード処理部を行いベースバンド信号に変換する。ベースバンド信号はデータバッファ６４に格納される。
さらにデータプロセス部６９は圧縮信号からのメタデータの抽出やデータバッファ６４への格納、ベースバンド信号へのＵＭＩＤの埋込、サーバ３への送信データの生成なども行う。
【００８１】
またコンピュータ装置４０から編集後のベースバンド信号が供給された際は、そのベースバンド信号はデータバッファ６４に一時的に格納され、データプロセス部６９により圧縮エンコード処理される。圧縮エンコード処理された圧縮信号はデータバッファ６４に一時的に格納されながらメディアドライブ６３に供給され、記録メディア９０に記録される。
【００８２】
入力部６６は、キーボード、タッチパネル、リモートコマンダー、その他の入力デバイスであって、オペレータが各種操作入力やデータ入力を行う。入力された情報は入力処理部６５で所定の処理が施され、ＣＰＵ６１に対して操作又はデータの入力として伝達される。ＣＰＵ６１は入力された情報に対応して必要な演算や制御を行う。
外部インターフェース６７は、例えばＩＥＥＥ１３９４、ＵＳＢ、ＳＣＳＩなどの方式により接続された周辺機器と接続し、データ通信を行う部位である。例えば図７のコンピュータ装置４０との間ではベースバンド信号や、ＣＰＵ６１，４１間のコマンド信号等の送受信が、外部インターフェース６７を介して行われる。
【００８３】
この図７，図８の構成例は、あくまで一例であるが、例えばこの構成によって図３で説明した各機能ブロックの動作が、それぞれ次のように各部位によって実現される。
【００８４】
圧縮デコード処理部２ａにおけるデコード機能２０１及びメタデータ抽出機能２０２は、ＣＰＵ６１の制御によるメディアドライブ６３、データバッファ６４、データプロセス部６９の動作で実現される。
圧縮デコード処理部２ａにおけるベースバンド処理機能２０３は、ＣＰＵ６１の制御によるデータバッファ６４、データプロセス部６９、外部インターフェース６７の動作で実現される。
また、サーバ３が外部インターフェース６７を介して通信可能とされる場合、圧縮デコード処理部２ａにおけるＵＭＩＤ／パラメータ送信機能２０４は、ＣＰＵ６１の制御によるデータバッファ６４、データプロセス部６９、外部インターフェース６７の動作で実現される。或いは、サーバ３がコンピュータ装置４０のネットワークインターフェース５０を介して通信可能とされる場合、ＵＭＩＤ／パラメータ送信機能２０４は、上記各部とともに、コンピュータ装置４０のネットワーク通信機能（ＣＰＵ４１の制御による通信処理部４９，ネットワークインターフェース５０）を利用して実現される。
【００８５】
編集処理部２ｂにおけるデータ編集機能２１１、ＵＭＩＤ／パラメータ送信機能２１２、ＵＭＩＤ送信機能２１３、パラメータ受信機能２１４は、コンピュータ装置４０において示した各部の連係処理により実現される。
データ編集機能２１１のためには、ＣＰＵ４１において起動されるソフトウエアにより、オペレータに対するインターフェースや実際の編集信号処理の制御が行われ、またベースバンド信号はＨＤＤ４８を利用して格納／編集のための変換が行われていく。
ＵＭＩＤ／パラメータ送信機能２１２、ＵＭＩＤ送信機能２１３、パラメータ受信機能２１４としてのサーバ３との送受信は、ネットワークインターフェース５０または外部インターフェース５４を介して行われる。
【００８６】
圧縮エンコード処理部２ｃにおけるエンコード機能２２１は、ＣＰＵ６１の制御によるメディアドライブ６３、データバッファ６４、データプロセス部６９の動作で実現される。
圧縮エンコード処理部２ｃにおけるＵＭＩＤ送信機能２２２、パラメータ受信機能２２３は、ＣＰＵ６１の制御によるデータバッファ６４、データプロセス部６９、外部インターフェース６７の動作で実現される。サーバ３との送受信は、外部インターフェース６７を介して直接行うことも考えられるし、或いはコンピュータ装置４０のネットワークインターフェース５０を介して行うことも考えられる。
【００８７】
なお、この構成ではデコード／エンコード装置６０において圧縮デコード／エンコードが行われるものとしたが、単にメディアドライブとしての外部装置を用いて記録メディア９０に対する圧縮信号の記録再生を行うようにし、図３に示した圧縮デコード処理部２ａ、圧縮エンコード処理部２ｃとしての各機能はコンピュータ装置４０側で行うようにすることもできる。
また、汎用のコンピュータ装置４０を利用せずに、例えば専用のハードウエア機能、例えば編集処理のためのプロセッサやＨＤＤ等を備えた編集装置を用いることも可能である。
どのような装置構成であれ、本例においては図２，図３で説明した各機能が実現されるものであればよい。
【００８８】
５．サーバのハードウエア構成及びデータベース
サーバ３の構成を図９（ａ）に示す。サーバ３は例えば図示するようにＣＰＵ７１，メモリ部７２，ネットワークインターフェース７３、データベース格納部７４を備える。
ＣＰＵ７１はバス７５を介して各回路部との間で制御信号やデータのやりとりを行う。
メモリ部７２はＣＰＵ７１が処理に用いるＲＡＭ、ＲＯＭ、フラッシュメモリなどを包括的に示している。
メモリ部７２におけるＲＯＭには、ＣＰＵ７１の動作プログラム、プログラムローダー等が記憶される。メモリ部７２におけるフラッシュメモリには、各種演算係数、プログラムで用いるパラメータ等が記憶される。メモリ部７２におけるＲＡＭには、プログラムを実行する上でのデータ領域、タスク領域が一時的に確保される。
【００８９】
データベース格納部７４は、例えばＨＤＤ等として構成され、その記憶情報として図２に示したデータベース３ａが形成される。
ネットワークインターフェース７３は、伝送路５を介して例えば図７のコンピュータ装置４０等と相互通信を行うインターフェースである。
なお、図示していないが、図７、図８の外部インターフェース５４、６７と接続される例えばＩＥＥＥ１３９４、ＵＳＢ、ＳＣＳＩなどの方式のインターフェースが設けられていても良い。
【００９０】
このサーバ３によっては、ＣＰＵ７１の制御によって図３に示した登録データ処理機能３０１、検索データ処理機能３０２、パラメータ送信機能３０３、データベースアクセス機能３０４が実現される。即ちＣＰＵ７１は、その動作プログラム及びネットワークインターフェース７３を介した通信動作により、上述した各機能の動作制御を行う。即ち、登録データ処理機能３０１、検索データ処理機能３０２、パラメータ送信機能３０３は、ＣＰＵ７１，メモリ部７２，ネットワークインターフェース７３の連係動作で実現される。またデータベースアクセス機能３０４は、ＣＰＵ７１の制御に基づくデータベース格納部７４の動作として実現される。
【００９１】
図９（ｂ）にデータベース格納部７４に形成されるデータベース３ａの内容を模式的に示す。
図示するようにデータベース３ａは、ＵＭＩＤに対応させて、圧縮パラメータ、デコードパラメータ、編集パラメータ等を記憶するものとされる。
図２，図３で説明したように、ＵＭＩＤ及びパラメータが圧縮デコード処理部２ａ又は編集処理部２ｂ（つまり図７のコンピュータ装置又は図８のデコード／エンコード装置６０）から登録のために送信されると、ＣＰＵ７１は登録データ処理機能３０１及びデータベースアクセス機能３０４としての動作を実行させ、そのＵＭＩＤとパラメータを図９（ｂ）のようにデータベースに登録する。
またＵＭＩＤが圧縮エンコード処理部２ｃ又は編集処理部２ｂ（つまり図７のコンピュータ装置又は図８のデコード／エンコード装置６０）から検索のために送信されると、ＣＰＵ７１は検索データ処理機能３０２、データベースアクセス機能３０４、及びパラメータ送信機能３０３としての動作を実行させ、ＵＭＩＤに基づいての検索及び検索されたパラメータの送信を実行する。
【００９２】
６．システム動作
図２，図３で説明した機能によって実現されるシステム動作を図１０を参照しながら説明する。
図１０の圧縮信号Ｓｇ１は、撮像装置１で撮像され、例えば記録メディア９０によって編集装置２に提供された圧縮信号を示している。
【００９３】
編集装置２においては、まず圧縮デコード処理部２ａのメタデータ抽出機能２０２により、圧縮信号からのメタデータの抜き取りが行われる（処理Ｐ１）。
また圧縮信号Ｓｇ２は、続いてデコード機能２０１で圧縮デコード処理（処理Ｐ２）が行われ、ベースバンド信号Ｓｇ４とされる。
【００９４】
メタデータ抽出機能２０２においては、処理Ｐ１で抽出したメタデータＳｇ３について、さらにその中からＵＭＩＤＳｇ６と圧縮パラメータＳｇ７を抽出する（処理Ｐ３）。そしてＵＭＩＤＳｇ６と圧縮パラメータＳｇ７はＵＭＩＤ／パラメータ送信機能２０４の処理によって、サーバ３に対して送信する（処理Ｐ５）。
なお、この処理Ｐ５の送信の際に、上記圧縮デコード処理（処理Ｐ２）において用いられたデコードパラメータＳｇ５も同時に送信される場合もある。
【００９５】
サーバ３においては、ＵＭＩＤＳｇ６とパラメータＳｇ７，Ｓｇ５が送信されてきたことに応じて、登録データ処理機能３０１，データベースアクセス機能３０４の動作により、そのＵＭＩＤとパラメータをデータベース３ａに登録する（処理Ｐ６）。
【００９６】
上記圧縮デコード処理（処理Ｐ２）において生成されたベースバンド信号Ｓｇ４に対しては、ベースバンド処理機能２０３によってＵＭＩＤＳｇ６が埋め込まれる（処理Ｐ４）。これによりＵＭＩＤ付きベースバンド信号Ｓｇ８とされ、編集処理部２ｂに転送される。
【００９７】
編集処理部２ｂでは、転送されてきたＵＭＩＤ付きのベースバンド信号を取り込み、データ編集機能２１１により、取り込んだベースバンド信号Ｓｇ１１に対して編集処理を行う（処理Ｐ７）。
このとき、編集処理部２ｂでは、ＵＭＩＤ送信機能２１３により、ベースバンド信号に付加されていたＵＭＩＤＳｇ９をサーバ３に送信する（処理Ｐ８）。
これに応じてサーバ３では、検索データ処理機能３０２、データベースアクセス機能３０４によりＵＭＩＤを基準にしてデータベース３ａの検索を行い、該当するパラメータを抽出する。そしてパラメータ送信機能３０３により該当するパラメータを送信する（処理Ｐ９）
このパラメータはパラメータ受信機能２１４によって受信され、データ編集機能２１１に受け渡されることで、データ編集処理において、編集対象のベースバンド信号に対応する過去のパラメータ（圧縮パラメータやデコードパラメータ）を使用できることになる。
【００９８】
また編集処理の際に用いられた編集パラメータＳｇ１０は、ＵＭＩＤＳｇ９とともに、ＵＭＩＤ／パラメータ送信機能２１２によりサーバ３に送信される場合がある。
サーバ３においては、ＵＭＩＤＳｇ９と編集パラメータＳｇ１０が送信されてきたことに応じて、登録データ処理機能３０１，データベースアクセス機能３０４の動作により、そのＵＭＩＤとパラメータをデータベース３ａに登録する（処理Ｐ６）。
【００９９】
編集処理部２ｂのデータ編集機能２１１によって編集された、ＵＭＩＤが付加されている状態のベースバンド信号Ｓｇ１２は、圧縮エンコード処理部２ｃに転送される。
圧縮エンコード処理部２ｃでは、転送されてきた編集済のＵＭＩＤ付きのベースバンド信号を取り込み、エンコード機能２２１により、取り込んだベースバンド信号Ｓｇ１４に対して圧縮エンコード処理を行う（処理Ｐ１１）。
このとき、圧縮エンコード処理部２ｃでは、ＵＭＩＤ送信機能２２２により、ベースバンド信号に付加されていたＵＭＩＤＳｇ１３をサーバ３に送信する（処理Ｐ１２）。
これに応じてサーバ３では、検索データ処理機能３０２、データベースアクセス機能３０４によりＵＭＩＤを基準にしてデータベース３ａの検索を行い、該当するパラメータを抽出する。そしてパラメータ送信機能３０３により該当するパラメータを送信する（処理Ｐ１３）
このパラメータはパラメータ受信機能２２３によって受信され、エンコード機能２２１に受け渡されることで、圧縮エンコード処理において、編集対象のベースバンド信号に対応する過去のパラメータ（圧縮パラメータ、デコードパラメータ、編集パラメータ）を使用できることになる。
そしてエンコード処理された圧縮信号Ｓｇ１５が出力される。
【０１００】
以上のシステム動作からわかるように、データ編集時やエンコード（再圧縮）時には、過去のパラメータを参照することで、適切な処理を行うことができ、これによって画質劣化の防止が実現できる。
また、圧縮エンコード処理部２ｃでの再圧縮の際に、過去のパラメータを解析することで高画質圧縮を行えることが知られているが、本例では過去のパラメータをサーバ３から得ることができるため、解析処理の必要もなく、エンコード処理の負担も軽減される。
また編集過程のベースバンド信号には、ＵＭＩＤが付加されていればよく、パラメータをベースバンド信号に挿入する必要はない。従って伝送負荷も軽いものとなる。
【０１０１】
ところで以上のシステムにおいて、ＵＭＩＤとともに登録／検索するパラメータとしては、以下の例が考えられ、それぞれ記するように使用できる。
【０１０２】
＜圧縮符号化するときに得られるパラメータ（圧縮パラメータ）＞
・画像の複雑情報としてのパラメータ：再圧縮符号化時に使用できる
・赤色が多いなどの色情報のパラメータ：再圧縮符号化時に使用できる
・シーンチェンジ検出情報のパラメータ：再圧縮符号化時に使用できる
【０１０３】
＜符号化・復号化するときに得られるパラメータ（圧縮パラメータ、デコードパラメータ）＞
・ピクチャタイプのパラメータ：ピクチャタイプを圧縮符号化時と同じにすると再符号化時に画質劣化が少なくなる
・動きベクトルのパラメータ：動きベクトルを圧縮符号化時と同じにすると再符号化時に画質劣化が少なくなる。また動き補償を検出しなくてよくなる。
・量子化値のパラメータ：量子化値が符号化時と同じであると同じビットレートに再符号化する場合画質劣化が少なくなる。
・ＤＣＴ  ＴＹＰＥのパラメータ：ＤＣＴ  ＴＹＰＥ、すなわちＤｉｓｃｒｅｔｅ  Ｃｏｓｉｎｅ  Ｔｒａｎｓｆｏｒｍ（信号を周波数成分に変換する直交変換の１つ）のタイプが符号化時と同じであると再符号化時に画質劣化が少なくなる。
・ＶＢＶの占有量のパラメータ。ＶＢＶ（Ｖｉｄｅｏ  Ｂｕｆｆｅｒｉｎｇ  Ｖｅｒｉｆｉｅｒ：符号器の出力に概念的に接続された仮想復号器）の占有量のパラメータがあると非破壊編集が簡単になる。
【０１０４】
＜編集したときに得られるパラメータ（編集パラメータ）＞
・色情報パラメータの無効化：カラーコレクションをした場合、再符号化時に以前の符号化時に得られた色情報は無効になるため、色情報パラメータを無効化することが適切となる。（従って当該データのデータベース３ａへの登録とは、登録されている過去の色情報パラメータを無効化する処理となる）
・エフェクトによるパラメータの無効化：ワイプなどのエフェクト処理を加えた場合は、再符号化時は以前の符号化時に得られた情報はほとんど使えなくなるため、色情報パラメータを無効化することが適切となる。（従って当該データのデータベース３ａへの登録とは、登録されている過去のパラメータを無効化する処理となる）
・シーンチェンジパラメータ：カット編集するときに、ｉｎ点とｏｕｔ点がわかるとその点でシーンチェンジがあることがわかるので、その部分に関してはシーンチェンジ検出を行う必要がなくなる。
【０１０５】
例えばこれらのパラメータを対象としてデータベース３ａへの登録を行うことが、システム処理に好適である。
もちろん上記各例に限定されず、さらに多様な処理パラメータが考えられる。また、処理パラメータに限らず、他のメタデータもデータベース３ａに登録し、ＵＭＩＤによって検索可能としても良い。
本例は、ベースバンド信号にＵＭＩＤ以外の各種メタデータを挿入しなくても、ベースバンド信号に対応して処理パラメータを含む各種メタデータを参照できるシステムである。また、データベース３ａに多様且つ多数の情報を登録することに支障はない（ベースバンド信号の伝送負荷が増大する訳ではない）。従って、データベース３ａに登録する内容としては、システム処理に利用できる多様な情報を含むことが拡張的に考えられる。
【０１０６】
以上、実施の形態について説明してきたが、具体的なシステム構成、端末構成、機能、構成表の内容、構成表に対する処理などは、上記以外に多様に考えられる。
【０１０７】
実施の形態における記録メディア９０としては、磁気テープや光ディスクの他に、フラッシュメモリ等を用いたメモリカードなど他の形式のメディアを用いてもよい。少なくとも映像データの記録メディアとして或る程度十分な容量があり、映像・音声データや構成表データの記録、再生が可能なメディアであればよい。さらには、記録メディア９０を使用せず、有線又は無線通信で圧縮信号の受け渡しが行われるシステムとしてもよい。
【０１０８】
また、図１に示した撮像装置１がサーバ３にアクセス可能とし、撮像装置にＵＭＩＤ／パラメータ送信機能を備えるようにしても良い。そのようにすれば、撮像装置１によってＵＭＩＤと圧縮パラメータを送信し、データベース３ａに登録させることも可能となる。
もちろん、圧縮エンコード処理部２ｃがＵＭＩＤ／パラメータ送信機能をさらに備えて、登録のためにエンコード処理時のパラメータをＵＭＩＤとともに送信してもよい
また、図１の送出装置４など、編集後の段階の処理装置系においても、データベース３ａにアクセスして、ＵＭＩＤに対応して記憶されている情報を取得できるようにしても良い。
【０１０９】
【発明の効果】
以上の説明から理解されるように本発明では、符号化パラメータ、復号パラメータ、編集パラメータ等のパラメータ情報が、ユニーク情報（ＵＭＩＤ）と対応されてデータベースに格納される。また編集のために復号処理（圧縮に対するデコード）された素材データ（ベースバンド信号）に対しては、ユニーク情報が付加されて伝送される。
従って、素材データに対する編集や再符号化などの際には、ユニーク情報をキーとしてデータベースから過去の処理に関するパラメータ情報を得ることができる。これによって劣化の少ない編集や再符号化処理が可能となる。例えば編集過程で画質劣化のない映像を得ることができる。
しかも、伝送されるデータとしては、復号された素材データにパラメータ情報を含めることを必要とせず、ユニーク情報のみを付加しておけばよいため、伝送負荷は軽いものとなるという効果がある。
さらに、過去の処理に関するパラメータ情報が、素材データを特定するユニーク情報をキーとしてデータベース化されることで、素材データを扱う各種機器において過去のパラメータ情報を汎用的にかつ発展的に使用でき留という利点もある。
【図面の簡単な説明】
【図１】本発明の実施の形態の編集システムの説明図である。
【図２】実施の形態の編集装置及びサーバの説明図である。
【図３】実施の形態の編集装置及びサーバの機能ブロックの説明図である。
【図４】実施の形態の編集システムに圧縮信号を提供する撮像装置のブロック図である。
【図５】実施の形態の圧縮信号におけるメタデータの説明図である。
【図６】実施の形態の圧縮信号に含まれるＵＭＩＤの説明図である。
【図７】実施の形態の編集装置を実現する構成のブロック図である。
【図８】実施の形態の編集装置における圧縮デコード処理部及び圧縮エンコード処理部を実現するデコード／エンコード装置のブロック図である。
【図９】実施の形態のサーバ装置のブロック図及びデータベースの説明図である。
【図１０】実施の形態の信号処理の流れの説明図である。
【符号の説明】
１  撮像装置、２  編集装置、２ａ  圧縮デコード処理部、２ｂ  編集処理部、２ｃ  圧縮エンコード処理部、３  サーバ、３ａ  データベース、４  送出装置、２０１  デコード機能、２０２  メタデータ抽出機能、２０３  ベースバンド処理機能、２０４，２１２  ＵＭＩＤ／パラメータ送信機能、２１１  データ編集機能、２１３  ＵＭＩＤ送信機能、２１４，２２３  パラメータ受信機能、３０１  登録データ処理機能、３０２  検索データ処理機能、３０３パラメータ送信処理機能、３０４  データベースアクセス機能
【図１】
2004364119.tif 000003
【図２】
2004364119.tif 000004
【図３】
2004364119.tif 000005
【図４】
2004364119.tif 000006
【図５】
2004364119.tif 000007
【図６】
2004364119.tif 000008
【図７】
2004364119.tif 000009
【図８】
2004364119.tif 000010
【図９】
2004364119.tif 000011
【図１０】
2004364119.tif 000012